(57)【要約】【課題】製作される本の完成状態を示すプレビューをユーザに示すことができる表示装置、表示システム、表示方法、および表示プログラムを提供する。【解決手段】表示システムのサーバ装置は、選択された用紙の種類、および指定された用紙のつまみ位置に応じて（Ｓ３０１、Ｓ３０２）、めくられる用紙の曲がり具合を示す画像を含み製作される本の完成状態を示すプレビュー用画像データを作成する（Ｓ３０３〜Ｓ３０５）。【選択図】図１５
2005339250.tif 000002
【特許請求の範囲】
【請求項１】
複数の用紙の種類を記憶する記憶手段と、
使用しようとする用紙の種類を選択するための用紙選択手段と、
用紙をめくる際のつまみ位置を指定するためのつまみ位置指定手段と、
選択された用紙の種類、および指定された用紙のつまみ位置に応じて、めくられる用紙の曲がり具合を示す画像を含み製作される本の完成状態を示すプレビュー用画像データを作成するプレビュー用画像作成手段と、
作成されたプレビュー用画像データを表示する表示手段と、
を有することを特徴とする表示装置。
【請求項２】
用紙の綴じ位置を指定するための綴じ位置指定手段をさらに有し、
前記プレビュー用画像作成手段は、選択された用紙の種類、指定された用紙のつまみ位置、および指定された用紙の綴じ位置に応じて、綴じ位置が表されたプレビュー用画像データを作成することを特徴とする請求項１に記載の表示装置。
【請求項３】
用紙の綴じ方を指定するための綴じ方指定手段をさらに有し、
前記プレビュー用画像作成手段は、選択された用紙の種類、指定された用紙のつまみ位置、および指定された用紙の綴じ方に応じて、綴じ方が表されたプレビュー用画像データを作成することを特徴とする請求項１に記載の表示装置。
【請求項４】
用紙の一辺において綴じるために使用される綴じ代の幅寸法を指定するための綴じ代寸法指定手段をさらに有し、
前記プレビュー用画像作成手段は、選択された用紙の種類、指定された用紙のつまみ位置、および指定された綴じ代の幅寸法に応じて、綴じ代の幅寸法が表されたプレビュー用画像データを作成することを特徴とする請求項１に記載の表示装置。
【請求項５】
めくられる用紙のページ番号を指定するためのページ番号指定手段をさらに有し、
前記プレビュー用画像作成手段は、選択された用紙の種類、指定された用紙のつまみ位置、および指定されためくられる用紙のページ番号に応じて、めくられる用紙よりも前のページ番号を有する用紙の厚さとめくられる用紙よりも後のページ番号を有する用紙の厚さとが表されたプレビュー用画像データを作成することを特徴とする請求項１に記載の表示装置。
【請求項６】
前記プレビュー用画像データには、めくられる用紙よりも前のページ番号を有する用紙の曲がり具合を示す画像と、めくられる用紙よりも後のページ番号を有する用紙の曲がり具合を示す画像とが含まれることを特徴とする請求項５に記載の表示装置。
【請求項７】
使用しようとする用紙の種類が、製作される本の表紙および背表紙に使用される用紙と、表紙および背表紙以外に使用される用紙とで異なる場合、それぞれの用紙の種類に応じた曲がり具合を示す画像を含むプレビュー用画像データが作成されることを特徴とする請求項６に記載の表示装置。
【請求項８】
前記プレビュー用画像作成手段は、前記プレビュー用画像データにおける用紙の外観部分に、当該部分に印刷すべきデータに対応する所定の画像を付加することを特徴とする請求項１に記載の表示装置。
【請求項９】
前記プレビュー用画像データには、用紙がめくられる際の前記つまみ位置の軌跡を示す画像が含まれることを特徴とする請求項１に記載の表示装置。
【請求項１０】
前記プレビュー用画像データは、製作される本の完成状態を３次元で示すことを特徴とする請求項１に記載の表示装置。
【請求項１１】
クライアント装置と、当該クライアント装置と通信可能なサーバ装置とを有する表示システムであって、
前記クライアント装置は、
使用しようとする用紙の種類を選択するための用紙選択手段と、
用紙をめくる際のつまみ位置を指定するためのつまみ位置指定手段と、
前記サーバ装置に対して、選択された用紙の種類、および指定された用紙のつまみ位置の情報を送信する送信手段と、
前記サーバ装置から、めくられる用紙の曲がり具合を示す画像を含み製作される本の完成状態を示すプレビュー用画像データを受信する受信手段と、
受信したプレビュー用画像データを表示する表示手段とを有し、
前記サーバ装置は、
前記クライアント装置から、選択された用紙の種類、および指定された用紙のつまみ位置の情報を受信する受信手段と、
受信した用紙の種類および用紙のつまみ位置の情報に応じて、前記プレビュー用画像データを作成するプレビュー用画像作成手段と、
前記クライアント装置に対して、作成されたプレビュー用画像データを送信する送信手段とを有することを特徴とする表示システム。
【請求項１２】
記憶手段に記憶されている複数の用紙の種類のうち、使用しようとする用紙の種類の選択を受け付けるステップと、
用紙をめくる際のつまみ位置の指定を受け付けるステップと、
選択された用紙の種類、および指定された用紙のつまみ位置に応じて、めくられる用紙の曲がり具合を示す画像を含み製作される本の完成状態を示すプレビュー用画像データを作成するステップと、
作成されたプレビュー用画像データを表示するステップと、
を有することを特徴とする表示方法。
【請求項１３】
記憶手段に記憶されている複数の用紙の種類のうち、使用しようとする用紙の種類の選択を受け付けるステップと、
用紙をめくる際のつまみ位置の指定を受け付けるステップと、
選択された用紙の種類、および指定された用紙のつまみ位置に応じて、めくられる用紙の曲がり具合を示す画像を含み製作される本の完成状態を示すプレビュー用画像データを作成するステップと、
作成されたプレビュー用画像データを表示手段に表示させるステップと、
をコンピュータに実行させるための表示プログラム。
【請求項１４】
請求項１３に記載の表示プログラムを記録したコンピュータ読み取り可能な記録媒体。
【発明の詳細な説明】
【技術分野】
【０００１】
本発明は、表示装置、表示システム、表示方法、および表示プログラムに関し、詳しくは、製作される本の完成状態を示すプレビュー用画像データを表示する表示装置、表示システム、表示方法、および表示プログラムに関するものである。
【背景技術】
【０００２】
オンディマンド印刷が広く行なわれている。このオンディマンド印刷技術によれば、印刷を希望するユーザのクライアント装置は、インターネットなどのネットワークを介して、遠隔地にある印刷業者のサーバ装置に接続されている。ユーザは、ネットワークを介して画像データを印刷業者のサーバ装置に送信し、印刷を依頼する。依頼を受けた印刷業者は、受信した画像データに基づいて印刷を行う。
【０００３】
このようなオンディマンド印刷において、印刷処理を開始する前に、印刷された後の状態を示すプレビュー用画像データを印刷業者のサーバ装置からクライアント装置に送信し、ユーザの確認を受けることができるプレビュー技術が用いられている。
【０００４】
このようなプレビュー技術として、印刷に使用される用紙の平滑度、光沢度、透過度、および色調などの材質をプレビュー用画像データに反映させる技術が知られている（特許文献１参照）。
【０００５】
ところで、最近のオンディマンド印刷では、用紙の種類の選択、印刷された用紙に対する後処理（フィニッシング）、および製本などの注文パラメータが多様化してきている。
【０００６】
しかしながら、上記文献に記載の技術は、このような注文パラメータの多様化に対して十分に対応することができなかった。すなわち、注文にしたがって製作された本の完成状態が、ユーザが想像していたものと異なってしまうという問題があった。このため、ユーザの満足度が得られないばかりか、再度の注文が余儀なくされる虞もあった。
【特許文献１】特開２００２−１０３７２６号公報
【発明の開示】
【発明が解決しようとする課題】
【０００７】
本発明は上記従来技術の有する問題点に鑑みてなされたものであり、本発明の目的は、製作される本の完成状態を示すプレビューをユーザに示すことができる表示装置、表示システム、表示方法、および表示プログラムを提供することである。
【課題を解決するための手段】
【０００８】
本発明の上記目的は、下記の手段によって達成される。
【０００９】
（１）複数の用紙の種類を記憶する記憶手段と、使用しようとする用紙の種類を選択するための用紙選択手段と、用紙をめくる際のつまみ位置を指定するためのつまみ位置指定手段と、選択された用紙の種類、および指定された用紙のつまみ位置に応じて、めくられる用紙の曲がり具合を示す画像を含み製作される本の完成状態を示すプレビュー用画像データを作成するプレビュー用画像作成手段と、作成されたプレビュー用画像データを表示する表示手段と、を有することを特徴とする表示装置。
【００１０】
（２）用紙の綴じ位置を指定するための綴じ位置指定手段をさらに有し、前記プレビュー用画像作成手段は、選択された用紙の種類、指定された用紙のつまみ位置、および指定
された用紙の綴じ位置に応じて、綴じ位置が表されたプレビュー用画像データを作成することを特徴とする上記（１）に記載の表示装置。
【００１１】
（３）用紙の綴じ方を指定するための綴じ方指定手段をさらに有し、前記プレビュー用画像作成手段は、選択された用紙の種類、指定された用紙のつまみ位置、および指定された用紙の綴じ方に応じて、綴じ方が表されたプレビュー用画像データを作成することを特徴とする上記（１）に記載の表示装置。
【００１２】
（４）用紙の一辺において綴じるために使用される綴じ代の幅寸法を指定するための綴じ代寸法指定手段をさらに有し、前記プレビュー用画像作成手段は、選択された用紙の種類、指定された用紙のつまみ位置、および指定された綴じ代の幅寸法に応じて、綴じ代の幅寸法が表されたプレビュー用画像データを作成することを特徴とする上記（１）に記載の表示装置。
【００１３】
（５）めくられる用紙のページ番号を指定するためのページ番号指定手段をさらに有し、前記プレビュー用画像作成手段は、選択された用紙の種類、指定された用紙のつまみ位置、および指定されためくられる用紙のページ番号に応じて、めくられる用紙よりも前のページ番号を有する用紙の厚さとめくられる用紙よりも後のページ番号を有する用紙の厚さとが表されたプレビュー用画像データを作成することを特徴とする上記（１）に記載の表示装置。
【００１４】
（６）前記プレビュー用画像データには、めくられる用紙よりも前のページ番号を有する用紙の曲がり具合を示す画像と、めくられる用紙よりも後のページ番号を有する用紙の曲がり具合を示す画像とが含まれることを特徴とする上記（５）に記載の表示装置。
【００１５】
（７）使用しようとする用紙の種類が、製作される本の表紙および背表紙に使用される用紙と、表紙および背表紙以外に使用される用紙とで異なる場合、それぞれの用紙の種類に応じた曲がり具合を示す画像を含むプレビュー用画像データが作成されることを特徴とする上記（６）に記載の表示装置。
【００１６】
（８）前記プレビュー用画像作成手段は、前記プレビュー用画像データにおける用紙の外観部分に、当該部分に印刷すべきデータに対応する所定の画像を付加することを特徴とする上記（１）に記載の表示装置。
【００１７】
（９）前記プレビュー用画像データには、用紙がめくられる際の前記つまみ位置の軌跡を示す画像が含まれることを特徴とする上記（１）に記載の表示装置。
【００１８】
（１０）前記プレビュー用画像データは、製作される本の完成状態を３次元で示すことを特徴とする上記（１）に記載の表示装置。
【００１９】
（１１）  クライアント装置と、当該クライアント装置と通信可能なサーバ装置とを有する表示システムであって、前記クライアント装置は、使用しようとする用紙の種類を選択するための用紙選択手段と、用紙をめくる際のつまみ位置を指定するためのつまみ位置指定手段と、前記サーバ装置に対して、選択された用紙の種類、および指定された用紙のつまみ位置の情報を送信する送信手段と、前記サーバ装置から、めくられる用紙の曲がり具合を示す画像を含み製作される本の完成状態を示すプレビュー用画像データを受信する受信手段と、受信したプレビュー用画像データを表示する表示手段とを有し、前記サーバ装置は、前記クライアント装置から、選択された用紙の種類、および指定された用紙のつまみ位置の情報を受信する受信手段と、受信した用紙の種類および用紙のつまみ位置の情報に応じて、前記プレビュー用画像データを作成するプレビュー用画像作成手段と、前記
クライアント装置に対して、作成されたプレビュー用画像データを送信する送信手段とを有することを特徴とする表示システム。
【００２０】
（１２）記憶手段に記憶されている複数の用紙の種類のうち、使用しようとする用紙の種類の選択を受け付けるステップと、用紙をめくる際のつまみ位置の指定を受け付けるステップと、選択された用紙の種類、および指定された用紙のつまみ位置に応じて、めくられる用紙の曲がり具合を示す画像を含み製作される本の完成状態を示すプレビュー用画像データを作成するステップと、作成されたプレビュー用画像データを表示するステップと、を有することを特徴とする表示方法。
【００２１】
（１３）記憶手段に記憶されている複数の用紙の種類のうち、使用しようとする用紙の種類の選択を受け付けるステップと、用紙をめくる際のつまみ位置の指定を受け付けるステップと、選択された用紙の種類、および指定された用紙のつまみ位置に応じて、めくられる用紙の曲がり具合を示す画像を含み製作される本の完成状態を示すプレビュー用画像データを作成するステップと、作成されたプレビュー用画像データを表示手段に表示させるステップと、をコンピュータに実行させるための表示プログラム。
【００２２】
（１４）上記（１３）に記載の表示プログラムを記録したコンピュータ読み取り可能な記録媒体。
【発明の効果】
【００２３】
本発明によれば、ユーザは、めくられる用紙の曲がり具合を示す画像を含むプレビュー用画像データが表示されている様子を、実際に製本する前に確認することができる。これにより、ユーザは、製作される本の完成状態を事前に的確に把握することが可能となり、ユーザが想像していたものと異なる本が製作されてしまう事態を回避することが可能となる。結果として、ユーザは、製本に対する満足度が増すとともに、再度の注文を出す事態を免れることができる。
【発明を実施するための最良の形態】
【００２４】
以下、本発明の実施の形態を、図面を参照して詳細に説明する。
【００２５】
図１は、本発明の一実施形態にかかる表示システムの全体構成を示すブロック図である。図１に示す表示システムは、クライアント装置１０と、サーバ装置２０と、プリンタ３０とを有している。クライアント装置１０とサーバ装置２０とは、ネットワーク４０を介して相互に通信可能に接続されている。サーバ装置２０とプリンタ３０とは直接機器間で接続されている（ローカル接続）。なお、ネットワーク４０に接続される機器の種類および台数は、図１に示す例に限定されない。
【００２６】
サーバ装置２０は、クライアント装置１０から、製作される本の完成状態を予め示すプレビュー用画像データを要求するためのプレビュー要求ジョブ、あるいは製本を含むプリント処理を要求するためのプリント要求ジョブを受信可能である。
【００２７】
図２は、図１に示されるクライアント装置の構成を示すブロック図である。
【００２８】
このクライアント装置１０は、たとえば一般的なパーソナルコンピュータ（ＰＣ）である。図２に示すように、クライアント装置１０は、ＣＰＵ１１、ＲＯＭ１２、ＲＡＭ１３、ハードディスク１４、入力装置１５、表示部１６、およびネットワークインタフェース１７を備えており、これらは信号をやり取りするためのバス１８を介して相互に接続されている。
【００２９】
ＣＰＵ１１は、プログラムにしたがって上記各部の制御や各種の演算処理等を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００３０】
入力装置１５は、たとえばマウス等のポインティングデバイスやキーボードであり、各種の入力を行うために使用される。表示部１６は、たとえば液晶ディスプレイであり、各種の情報を表示するために使用される。
【００３１】
ネットワークインタフェース１７は、ネットワーク４０を介して他の機器と通信するためのインタフェースであり、イーサネット（登録商標）、トークンリング、ＦＤＤＩ等の規格が用いられる。
【００３２】
図３は、図１に示されるサーバ装置の構成を示すブロック図である。
【００３３】
このサーバ装置２０は、サーバコンピュータである。図３に示すように、サーバ装置２０は、ＣＰＵ２１、ＲＯＭ２２、ＲＡＭ２３、ハードディスク２４、入力装置２５、プリンタインタフェース２６、およびネットワークインタフェース２７を備えており、これらは信号をやり取りするためのバス２８を介して相互に接続されている。
【００３４】
サーバ装置２０の上記各部のうち、クライアント装置１０の上記各部と同様の機能を有する部分については、説明の重複を避けるためその説明を省略する。
【００３５】
図４に示すように、ハードディスク２４は、用紙情報データベース２４１およびプリントデータ記憶部２４２のためのそれぞれの領域を有する。用紙情報データベース２４１には、本システムで規定された用紙の種類に対応した属性を示す用紙情報が格納されている。図５は、用紙情報リストの一例を示す図である。図５に示す用紙情報リストには、用紙の種類に対応して、用紙サイズ、用紙の厚さ、および曲げ易さが含まれる。曲げ易さは、用紙の柔らかさあるいは固さに対応する値であり、詳細は後述する。プリントデータ記憶部２４２は、プリンタ３０に出力して印刷するためのプリントデータを記憶する。
【００３６】
図６に示すように、ＲＯＭ２２は、プリントサービス処理部２２１およびプレビュー用画像作成部２２２に対応するプログラムを格納するためのそれぞれの領域を有する。プリントサービス処理部２２１は、受信したプレビュー要求ジョブまたはプリント要求ジョブについての処理を行う。また、プレビュー用画像作成部２２２は、プレビュー要求ジョブの内容に基づいて、製作される本の完成状態を示すプレビュー用画像データを作成する。なお、プリントサービス処理部２２１およびプレビュー用画像作成部２２２の機能は、それぞれに対応するプログラムをＣＰＵ２１が実行することにより発揮される。
【００３７】
プリンタインタフェース２６は、プリンタ３０と通信するためのインタフェースであり、たとえば専用のビデオインタフェースが使用され得る。
【００３８】
プリンタ３０は、サーバ装置２０から転送されるビットマップ形式のプリントデータを、用紙などの記録材上に印刷する。
【００３９】
なお、クライアント装置１０、およびサーバ装置２０は、上記した構成要素以外の構成要素を含んでいてもよく、あるいは、上記した構成要素のうちの一部が含まれていなくてもよい。
【００４０】
次に、以上のように構成される本実施形態にかかる表示システムの動作について説明す
る。
【００４１】
図７は、クライアント装置１０における処理の手順を示すフローチャートである。図７に示されるアルゴリズムは、ハードディスク１４などの記憶部にプログラムとして記憶されており、ＣＰＵ１１によって実行される。
【００４２】
まず前提として、印刷しようとする画像データが指定されているものとする。
【００４３】
ステップＳ１０１では、ユーザの入力に基づいて、プリント情報が受け付けられる。プリント情報には、ジョブに関するジョブ制御情報と、プレビューの状態に関するプレビュー状態情報とが含まれる。
【００４４】
ジョブ制御情報には、用紙の種類、用紙サイズ、用紙の綴じ方、用紙の綴じ位置、および綴じ代の幅寸法などの情報が含まれる。また、プレビュー状態情報には、用紙をめくる際にユーザが当該用紙をつまむ箇所であるつまみ位置、およびめくられる用紙のページ番号などの情報が含まれる。なお、後述するように製本を含むプリント処理が要求される場合、プレビュー状態情報は必ずしも必要ではない。
【００４５】
続いて、製作される本の完成状態を予め示すプレビューが要求されたか否かが判断される（Ｓ１０２）。かかる要求は、ユーザの操作に基づいて行われる。
【００４６】
プレビューが要求されたと判断された場合（Ｓ１０２でＹＥＳ）、クライアント装置１０は、サーバ装置２０に対して、プレビュー要求ジョブを送信する（Ｓ１０３）。
【００４７】
図８は、プレビュー要求ジョブの一例を示す図である。図８に示すように、プレビュー要求ジョブ５０は、ヘッダ５１と、画像データ５２とを含んでいる。ヘッダ５１には、ステップＳ１０１で受け付けられたジョブ制御情報５４およびプレビュー状態情報５５を有するプリント情報５３が含まれる。画像データ５２は、用紙に印刷すべき予め指定された画像データである。
【００４８】
ここで、クライアント装置１０からのプレビュー要求ジョブに基づいて、サーバ装置２０は、プレビュー用画像データを作成して、作成されたプレビュー用画像データを、クライアント装置１０に送り返す。なお、サーバ装置２０におけるかかる処理の詳細は後述する。
【００４９】
そして、クライアント装置１０は、サーバ装置２０からプレビュー用画像データを受信し（Ｓ１０４）、受信したプレビュー用画像データを表示部１６に表示させる（Ｓ１０５）。
【００５０】
図９は、表紙として表紙用厚紙が選択された場合のプレビュー用画像データの表示例を示し、図１０は、表紙として普通用紙が選択された場合のプレビュー用画像データの表示例を示し、図１１は、表紙として上質半紙が選択された場合のプレビュー用画像データの表示例を示す。
【００５１】
図９〜図１１に示されるように、プレビュー用画像データには、めくられる用紙の曲がり具合を示す画像が含まれるため、ユーザは、製作される本の完成状態を前もって的確に把握することが可能となる。しかも、製作される本の完成状態が３次元で示されるため、完成状態の把握が容易である。なお、図中の矢印は、用紙がめくられる際のつまみ位置の軌跡を示す。
【００５２】
ステップＳ１１０では、図７に示される処理の終了指示が受け付けられたか否かが判断される。終了指示が受け付けられていない場合（Ｓ１１０でＮＯ）、ステップＳ１０１に戻る。この場合、ユーザは、プレビュー状態情報の内容を変更して再度プレビュー用画像データを表示部１６に表示させることができる。また、ユーザは、表示されたプレビュー用画像データを確認後に、製本を含むプリント処理を要求することができる。
【００５３】
一方、ステップＳ１０２でプレビューが要求されたと判断されなかった場合（Ｓ１０２でＮＯ）、製本を含むプリント処理が要求されたか否かが判断される（Ｓ１０６）。かかる要求は、ユーザの操作に基づいて行われる。プリント処理が要求されたと判断されなかった場合（Ｓ１０２でＮＯ）、ステップＳ１１０に進む。
【００５４】
プリント処理が要求されたと判断された場合（Ｓ１０６でＹＥＳ）、クライアント装置１０は、サーバ装置２０に対して、プリント要求ジョブを送信する（Ｓ１０７）。
【００５５】
図１２は、プリント要求ジョブの一例を示す図である。図１１に示すように、プリント要求ジョブ６０は、ヘッダ６１と、画像データ６２とを含んでいる。ヘッダ６１には、ステップＳ１０１で受け付けられたジョブ制御情報６４を有するプリント情報６３が含まれる。すなわち、プリント要求ジョブ６０は、プレビュー要求ジョブ５０と、プリント情報６３がプレビュー状態情報を有しない点で異なっており、他の点では同様である。なお、先に送信したプレビュー要求ジョブに合致した内容のプリント処理を要求する場合、図１２に示すプリント要求ジョブに代わりに所定のコマンドが送信されてもよい。
【００５６】
ここで、クライアント装置１０からのプリント要求ジョブに基づいて、サーバ装置２０は、プリンタ３０に印刷指示を行い、プリント結果を、クライアント装置１０に送る。なお、サーバ装置２０におけるかかる処理の詳細は後述する。
【００５７】
そして、クライアント装置１０は、サーバ装置２０からプリント結果を受信し（Ｓ１０８）、受信したプリント結果を表示部１６に表示させる（Ｓ１０９）。
【００５８】
図１３〜図１５は、サーバ装置２０における処理の手順を示すフローチャートである。図１３〜図１５に示されるアルゴリズムは、ＲＯＭ２２にプログラムとして記憶されており、ＣＰＵ２１によって実行される。なお、図１３および図１４に示す処理は、プリントサービス処理部２２１により行われ、図１５に示す処理は、プレビュー用画像作成部２２２により行われる。
【００５９】
サーバ装置２０は、クライアント装置１０から、要求ジョブを受信するまで待機する（Ｓ２０１でＮＯ）。すなわち、サーバ装置２０は、クライアント装置１０からの要求ジョブの受信を監視する。
【００６０】
サーバ装置２０は、要求ジョブを受信した場合（Ｓ２０１でＹＥＳ）、受信した要求ジョブがプレビュー要求ジョブであるか否かを判断する（Ｓ２０２）。
【００６１】
受信した要求ジョブがプレビュー要求ジョブである場合（Ｓ２０２でＹＥＳ）、プレビュー要求ジョブ５０から、ジョブ制御情報５４およびプレビュー状態情報５５を有するプリント情報５３が抽出される（Ｓ２０３）。抽出されたプリント情報５３は、たとえばＲＡＭ２３などの記憶部に格納される（Ｓ２０４）。
【００６２】
続いて、プレビュー要求ジョブ５０における画像データ５２がラスタライズされる（Ｓ２０５）。ラスタライズされたビットマップ形式の画像データは、プリントデータとして、ハードディスク２４のプリントデータ記憶部２４２に格納される（Ｓ２０６）。
【００６３】
続いて、プレビュー用画像データが作成される（Ｓ２０７）。このプレビュー用画像データの作成処理についての詳細は後述する。
【００６４】
そして、サーバ装置２０は、作成されたプレビュー用画像データを、プレビュー要求元であるクライアント装置１０に送信する（Ｓ２０８）。
【００６５】
一方、ステップＳ２０２で、サーバ装置２０は、受信した要求ジョブがプレビュー要求ジョブでないと判断した場合（Ｓ２０２でＮＯ）、受信した要求ジョブがプリント要求ジョブであるか否かを判断する（Ｓ２０９）。受信した要求ジョブがプリント要求ジョブでない場合には（Ｓ２０９でＮＯ）、要求内容に応じたその他の処理が行われる（Ｓ２１６）。
【００６６】
受信した要求ジョブがプリント要求ジョブである場合（Ｓ２０９でＹＥＳ）、プリント要求ジョブ６０から、ジョブ制御情報６４を有するプリント情報６３が抽出される（Ｓ２１０）。抽出されたプリント情報６３は、たとえばＲＡＭ２３などの記憶部に格納される（Ｓ２１１）。
【００６７】
続いて、プリント要求ジョブ６０における画像データ６２がラスタライズされる（Ｓ２１２）。ラスタライズされたビットマップ形式の画像データは、プリントデータとして、ハードディスク２４のプリントデータ記憶部２４２に格納される（Ｓ２１３）。なお、先に受信したプレビュー要求ジョブに合致した内容のプリント処理が要求された場合には、プリント情報の格納（Ｓ２１１）、およびプリントデータの格納（Ｓ２１３）は省略され得る。
【００６８】
続いて、サーバ装置２０は、プリント情報６３およびプリントデータに基づいて、プリンタ３０に、プリント指示を行う。ここで、プリンタ３０は、サーバ装置２０からのプリント指示に基づいて、製本を含むプリント処理を行う。
【００６９】
そして、サーバ装置２０は、プリント結果を、プリント要求元であるクライアント装置１０に送信する（Ｓ２１５）。プリント結果には、プリント処理の終了通知、および所定のエラー発生通知が含まれる。
【００７０】
次に、図１５を参照して、ステップＳ２０７におけるプレビュー用画像データの作成処理について説明する。
【００７１】
まず、サーバ装置２０のプレビュー用画像作成部２２２が、ＲＡＭ２３に格納されているプリント情報５３を取得する（Ｓ３０１）。前述したように、プリント情報５３は、用紙の種類、用紙サイズ、用紙の綴じ方、用紙の綴じ位置、および綴じ代の幅寸法などの情報を含むジョブ制御情報５４と、用紙をめくる際のつまみ位置、およびめくられる用紙のページ番号などの情報を含むプレビュー状態情報５５とを有している。
【００７２】
続いて、用紙情報データベース２４１から、使用する用紙の種類に対応した属性を示す用紙情報が取得される（Ｓ３０２）。前述したように、用紙情報には、用紙サイズ、用紙の厚さ、および曲げ易さが含まれている（図５参照）。
【００７３】
そして、プリント情報５３、および用紙情報に基づいて、めくられる用紙の曲がり具合を示す画像を含むプレビュー用画像データ（骨組み）が作成される（Ｓ３０３）。このプレビュー用画像データの作成についての詳細は後述する。
【００７４】
続いて、プリントデータ記憶部２４２に格納されているプリントデータが取得される（Ｓ３０４）。このプリントデータは、ステップＳ３０１で取得されたプリント情報５３に対応するものである。
【００７５】
そして、プリントデータに応じた所定の画像が、先に作成したプレビュー用画像データ（骨組み）に貼り付けられて、プレビュー用画像データが完成される（Ｓ３０５）。すなわち、プレビュー用画像データにおける用紙の外観部分に、当該部分に印刷すべきプリントデータに対応する所定の画像が付加される。このプリントデータに応じた所定の画像の貼り付けについての詳細は後述する。
【００７６】
次に、上記の表示システムにおけるプレビュー用画像データの作成方法について詳細に説明する。本実施形態では、用紙の種類、および用紙のつまみ位置に応じて、めくられる用紙の曲がり具合を示す画像を含むプレビュー用画像データが作成される。
【００７７】
ここで、プレビュー用画像データは、使用される用紙の質感を感覚的にユーザに伝えることを目的として作成される。つまり、用紙をめくる際のふるまいや物理的な状態が忠実に再現される必要はない。したがって、用紙の曲がり具合を示す画像を作成するときに使用される計算式等の処理方法は一通りではない。以下にその一例を示す。
【００７８】
本実施形態では、用紙の綴じ位置が指定される。綴じ位置としては、たとえば、一辺が綴じられる場合の辺綴じと、コーナーが綴じられる場合のコーナー綴じとが規定されている。
【００７９】
図１６は、左辺綴じの一例を示す平面図、図１７は、左上コーナー綴じの一例を示す平面図である。ここで、図１６における辺ＢＣ、および図１７における辺ＦＧが基準の辺（長さＸ）として定義される。他の綴じ位置の場合も同様に定義される。なお、図１６および図１７において、綴じ位置は、ステープル２００の位置で示されている。点Ａ〜Ｈのうち、点Ａ、Ｂ、およびＥは、つまみ位置（用紙の頂点の近傍を含む）として指定不可とする。ここで、つまみ位置が点Ｄである場合の処理は、つまみ位置が点Ｃである場合の処理と同様に行われる。また、つまみ位置が点Ｈである場合の処理は、つまみ位置が点Ｄである場合の処理に近似しているため、同様の扱いとされる。また、つまみ位置が点Ｆである場合の処理は、つまみ位置が点Ｈである場合の処理と用紙のめくり方向が変わる以外、同様に行われる。以下、つまみ位置が点ＣまたはＧである場合の各処理について説明する。
【００８０】
図１８は、左辺綴じでつまみ位置が点Ｃである場合のつまみ位置の軌跡を説明するための図、図１９は、左上コーナー綴じでつまみ位置が点Ｇである場合のつまみ位置の軌跡を説明するための図である。以下、めくられる用紙の４つの頂点を、説明の便宜上、Ｉ，Ｊ，Ｋ，Ｌとする。
【００８１】
本実施形態では、プレビュー用画像データは、たとえば斜視図などの３次元で示される図である。プレビュー用画像データにおいて、つまみ位置の軌跡は、めくる様子を簡単に表すために、用紙の曲がり具合に関わらずに、一律に定義される。すなわち、図１８に示すように、つまみ位置である点Ｃが動く軌跡は、始点である点Ｃから、点Ｂの真上であって高さＹの点Ｐに向かう線として描かれる。ここで、高さＹは、たとえば、基準の辺の長さＸの（３／４）倍（Ｙ＝Ｘ＊３／４）とされる。この場合、軌跡が描く線は、短半径がＹ、長半径がＸの楕円の一部とされる。また、図１９に示すように、コーナー綴じでつまみ位置が点Ｇである場合に、めくられる用紙の点Ｊは、オフセット長さＺだけ、点Ｆから離れるように表現される。ここで、オフセット長さＺは、コーナー綴じの場合に使用される予め決められた値である。つまみ位置である点Ｇが動く軌跡は、始点である点Ｇから、点Ｆの真上であって高さ（Ｙ＋Ｚ）の点Ｐに向かう線として描かれる。この場合、軌跡が
描く線は、短半径が（Ｙ＋Ｚ）、長半径がＸの楕円の一部とされる。図１８および図１９において、点Ｐは、つまみ位置の軌跡の終点である。
【００８２】
次に、めくられる用紙の曲がり具合を示す画像の作成方法について説明する。まず、用紙が左辺綴じされる場合について説明する。
【００８３】
図２０〜図２３は、表紙をめくる際の表紙の曲がり具合を示す画像を含むプレビュー用画像データの一例を示す図である。
【００８４】
用紙の曲がり具合は、用紙情報データベース２４１から取得される用紙情報のうちの曲げ易さαに応じて決定される。曲げ易さαは、前述したように、用紙の柔らかさあるいは固さに対応する値である。ここでは、曲げ易さα＝０である用紙は、規定される用紙の中で最も固く、全く曲がりが発生しない用紙を示し、曲げ易さα＝２である用紙は、規定される用紙の中で最も柔らかい用紙を示す。
【００８５】
図２０は、表紙が曲げ易さα＝０の用紙である場合の図、図２１は、表紙が曲げ易さα＝０．５の用紙である場合の図、図２２は、表紙が曲げ易さα＝１の用紙である場合の図、図２３は、表紙が曲げ易さα＝２の用紙である場合の図である。
【００８６】
本実施形態では、用紙の曲がり具合は、０以上２以下の実数である曲げ易さαに応じて、連続的に表現される。この場合の用紙の曲がり具合を示す画像の作成方法について、図２０〜図２６を用いて、以下に説明する。図中の点線部分は、説明に用いるためのみに記載されたものであり、実際のプレビュー用画像データには含まれない。また、図２０〜図２３に示すように、プレビュー用画像データにおいて隠線処理が行われているが、これに限定されるものではなく、隠線処理は行われなくてもよい。
【００８７】
曲げ易さαが０以上１以下である場合、点Ｉは、点Ｖから点Ｐまで、曲げ易さαに応じて移動する（図２０〜図２２参照）。ここで、点Ｖは、点Ｊの真上であって高さＸの点であり、点Ｐは、点Ｊの真上であって高さＹの点である。高さＹは、基準の辺の長さＸの（３／４）倍（Ｙ＝Ｘ＊３／４）とされる。図２１に示すように、弧形状の辺ＩＪは、点Ｉおよび点Ｊ間の中央点である点Ｑを中心とした楕円の一部として描かれる。この楕円において、長半径はＩＱ、短半径は（１／２＊（Ｘ−ＩＪの長さ））とされる。弧形状の辺ＬＫは、辺ＩＪを平行に移動させることにより描かれる。
【００８８】
曲げ易さαが１以上２以下である場合、点Ｉは、点Ｐに固定され、辺ＩＪの形状のみが変化する（図２２および図２３参照）。辺ＬＫは、辺ＩＪを平行に移動させることにより描かれる。この辺ＩＪの形状の変化について、図２４〜図２６を参照して説明する。
【００８９】
図２４に示すように、曲げ易さα＝１である場合、直線ＩＪに垂直となるように点Ｑから引いた線と曲線ＩＪとの交点を点Ｒ１とする。また、曲線ＩＪ上において、点Ｒ１および点Ｊ間に、点Ｒ２を定める。ここでは、点Ｒ２は、点Ｒ１および点Ｊ間の中央点とされる。描画する際に使用される基準の点Ｒは、点Ｒ１から点Ｒ２まで、曲げ易さαに応じて移動する。
【００９０】
図２５に示すように、曲げ易さαが１以上２以下である場合の辺ＩＪは、曲線ＩＲと曲線ＲＪとから構成される。なお、曲線ＩＲと曲線ＲＪとは、これらの接合部分において滑らかに接続されるように修正され得る。曲線ＩＲは、直線ＩＲの中央点Ｍを中心とした楕円の一部として表現される。この楕円において、長半径は（１／２＊（直線ＩＲの長さ））と設定され、短半径は、曲げ易さα＝１である場合の短半径Ｍ１Ｒ３（最大値、図２４参照）から、曲げ易さα＝２である場合のゼロ（またはゼロに近い所定値、図２６参照）
まで、曲げ易さαに応じて徐々に小さく設定される。同様にして、曲線ＲＪは、直線ＲＪの中央点Ｕを中心とした楕円の一部として表現される。この楕円において、長半径は（１／２＊（直線ＲＪの長さ））と設定され、短半径は、曲げ易さα＝１である場合の短半径Ｕ１Ｒ２（最大値、図２４参照）から、曲げ易さαが２の場合のゼロ（またはゼロに近い所定値、図２６参照）まで、曲げ易さαに応じて徐々に小さく設定される。
【００９１】
また、図１９に示されるように、用紙がコーナー綴じされる場合のめくられる用紙の曲がり具合を示す画像は、画像の位置がオフセット長さＺだけ上方にずれる以外、図２０〜図２６に示される用紙が左辺綴じされる場合の画像と同様に作成され得る。ここで、弧形状の辺ＬＫは、辺ＩＪを平行に移動させることにより描かれ得る。ただし、視覚上より効果的な画像を得るために、図１９に示したように、辺ＬＫの楕円の長半径は、辺ＩＪの長半径を固定率（例えば０．７５）で縮小した値に設定されてもよい。
【００９２】
次に、用紙の綴じ代の幅寸法、および用紙の厚さが表されたプレビュー用画像データの作成方法について説明する。
【００９３】
図２７は、綴じ代が表されたプレビュー用画像データの一例を示す図である。なお、図２７に示す用紙の曲げ易さαは０である。綴じ代の幅寸法は、辺ＡＢ上において、直線ＴＡの長さで表される。
【００９４】
また、用紙の総厚さは、辺ＡＢの長さに比例して設定され得るが、簡易的に予め決められた固定値に設定されてもよい。積層された用紙の側部は、所定間隔の相互に平行な線で表されてもよいし（図２７参照）、黒く塗りつぶされた太い線で表されてもよい（図２８および図２９参照）。この場合、めくられる用紙の曲がり具合を示す画像は、点Ｔを中心に辺ＴＢがめくられる部分として作成される。つまり、図２０〜図２６を用いて説明した作成方法と同様の方法により、曲がり具合を示す画像が作成される。
【００９５】
次に、用紙の途中ページがめくられる場合のプレビュー用画像データの作成方法について説明する。
【００９６】
図２８は、先頭から１／３に相当するページの用紙がめくられる場合のプレビュー用画像データの一例を示す図、図２９は、先頭から２／３に相当するページの用紙がめくられる場合のプレビュー用画像データの一例を示す図である。なお、図２８および図２９に示す用紙の曲げ易さαは０である。
【００９７】
図２８および図２９に示すように、本の全ページ数をＮ、めくられる用紙のページ番号をｎとすると、１〜（ｎ−１）ページの用紙は、めくり済の用紙としてプレビュー用画像データの左側（左綴じの場合）に、（ｎ＋１）〜Ｎページの用紙は、めくる前の用紙として、プレビュー用画像データの右側（左綴じの場合）に配置される。つまり、本の途中ページが開かれた状態の画像が作成される。図中において、点Ｂ１は、めくり済の用紙の頂点であり、めくる前の用紙の点Ｂに対応する点である。ここで、辺ＴＢ１の部分の厚さは、めくり済の用紙のページ数である（ｎ−１）に応じた厚さに設定され、辺ＴＢの部分の厚さは、めくる前の用紙のページ数である（Ｎ−ｎ）に応じた厚さに設定され、辺ＴＡの部分の厚さは、本の全ページ数であるＮに応じた厚さに設定される。ただし、各辺の太さは正確にページ数に比例させる必要はなく、ユーザがめくり済の用紙のページ数とめくる前の用紙のページ数との差を概略把握できる程度の見やすい厚さに変更されてもよい。また、用紙の実際の厚さを考慮して表現されてもよい。
【００９８】
図２８および図２９において、辺ＴＡは、点Ｔを中心にｎの大きさに応じた角度だけ回動された位置に設定される。たとえば、ｎ＝１の場合、角ＡＴＢ＝１８０°に設定され、
ｎ＝１／２＊Ｎの場合、角ＡＴＢ＝９０°に設定され、ｎ＝Ｎの場合、角ＡＴＢ＝０°に設定される。また、点Ｂ１とＢは、プレビュー用画像データにおける鉛直方向の位置が点Ａと同じになるように調整される。すなわち、辺ＴＢ１と辺ＴＢは、設定された角ＡＴＢの大きさにしたがって、傾いて表示され得る。このようにすれば、ユーザは製本の完成状態をより把握し易くなる。
【００９９】
次に、曲げ易さαが０よりも大きい用紙の途中ページがめくられる場合のプレビュー用画像データの作成方法について説明する。以下、図２８および図２９を用いて説明した作成方法と異なる点について説明する。
【０１００】
すなわち、めくられる用紙の曲がり具合に加えて、めくり済の用紙およびめくる前の用紙の曲がり具合を示す画像が作成される。めくられる用紙の曲がり具合を示す画像の作成方法は、図２０〜図２６を参照して説明された通りである。めくり済の用紙の曲がり具合と、めくる前の用紙の曲がり具合とは同様であるため、代表としてめくり済の用紙の曲がり具合を示す画像の作成方法について説明する。
【０１０１】
図３０〜図３３は、めくり済の用紙の曲がり具合を説明するための図である。めくり済の用紙の曲がり具合は、用紙情報データベース２４１から取得される用紙情報のうちの曲げ易さαに応じて決定される。図３０は、曲げ易さαが０以上１以下である場合の図、図３１は、曲げ易さα＝１である場合の図、図３２は、曲げ易さαが１以上２以下である場合の図、図３３は、曲げ易さα＝２である場合の図である。
【０１０２】
図３０〜図３３において、点Ｉは、めくり済の用紙の先端の点を示し、点Ｂ１は、点Ｔの真左であって、点Ｔとの距離Ｘが辺ＴＢ（図２７〜図２９参照）の長さである点を示し、点Ｐは、点Ｔの真左であって、点Ｔとの距離Ｙが辺ＴＢの長さの（３／４）倍（Ｙ＝Ｘ＊３／４）である点を示す。
【０１０３】
曲げ易さαが０以上１以下である場合、点Ｉは、点Ｂ１から点Ｐまで、曲げ易さαに応じて移動する。図３０に示すように、弧形状の辺ＩＴは、点Ｉおよび点Ｔ間の中央点である点Ｑを中心とした楕円の一部として描かれる。この楕円において、長半径はＩＱ、短半径は（１／２＊（Ｘ−ＩＴの長さ））とされる。
【０１０４】
曲げ易さαが１以上２以下である場合、点Ｉは、点Ｐに固定され、辺ＩＴの形状のみが変化する。この辺ＩＴの形状の変化について、図３１〜図３３を参照して説明する。
【０１０５】
図３１に示すように、曲げ易さα＝１の場合、直線ＩＴに垂直となるように点Ｑから引いた線と曲線ＩＴとの交点を点Ｒ１とする。また、曲線ＩＴ上において、点Ｒ１および点Ｔ間に、点Ｒ２を定める（図３３参照）。ここでは、点Ｒ２は、点Ｒ１および点Ｔ間の中央点よりも所定距離だけ点Ｔに近い点とされる。描画する際に使用される基準の点Ｒは、点Ｒ１から点Ｒ２まで、曲げ易さαに応じて移動する。
【０１０６】
図３２に示すように、曲げ易さαが１以上２以下である場合の辺ＩＴは、曲線ＩＲと曲線ＲＴとから構成される。なお、曲線ＩＲと曲線ＲＴとは、これらの接合部分において滑らかに接続されるように修正され得る。曲線ＩＲは、直線ＩＲの中央点を中心とした楕円の一部として表現される。この楕円において、長半径は（１／２＊（直線ＩＲの長さ））と設定され、短半径は、曲げ易さα＝１である場合の短半径（最大値、図３１参照）から、曲げ易さα＝２である場合のゼロ（またはゼロに近い所定値、図３３参照）まで、曲げ易さαに応じて徐々に小さく設定される。同様にして、曲線ＲＴは、直線ＲＴの中央点を中心とした楕円の一部として表現される。この楕円において、長半径は（１／２＊（直線ＲＴの長さ））と設定され、短半径は、曲げ易さα＝１である場合の短半径（最大値、図
３１参照）から、曲げ易さα＝２である場合のゼロ（またはゼロに近い所定値、図３３参照）まで、曲げ易さαに応じて徐々に小さく設定される。
【０１０７】
このようにして得られためくり済の用紙の曲がり具合に基づいて、３次元のプレビュー用画像データが作成される。
【０１０８】
図３４は、使用しようとする用紙の種類が、製作される本の表紙および背表紙に使用される用紙と、表紙および背表紙以外に使用される用紙とで異なる場合の用紙の曲がり具合を説明するための図である。
【０１０９】
この場合、表紙１０１および背表紙１０２に使用される用紙と、表紙および背表紙以外に使用される用紙１０３ａ〜１０３ｃとの種類の相違、具体的には用紙の曲げ易さαに応じて、それぞれの用紙の曲がり具合を示す画像を含むプレビュー用画像データが作成される。なお、図３４において、表紙１０１および背表紙１０２の曲げ易さαは０であり、めくり済の用紙１０３ａ、めくられる用紙１０３ｂ、およびめくり前の用紙１０３ｃの曲げ易さαは０よりも大きい。こうして得られた各用紙の曲がり具合に基づいて、３次元のプレビュー用画像データが作成される。
【０１１０】
次に、図３５〜図３８を参照して、プリントデータに応じた所定の画像を、プレビュー用画像データ（骨組み）に貼り付ける方法について説明する。
【０１１１】
図３５は、プリントデータに応じた所定の画像が印刷された用紙の一例を示す平面図、図３６は、図３５に示される画像が印刷された用紙の曲がり具合を示す画像の一例を示す図である。
【０１１２】
図３６に示される曲線ＩＲおよび曲線ＲＪは、図２５に示される曲線ＩＲおよび曲線ＲＪに対応するものである。また、曲線ＬＳおよび曲線ＳＫは、曲線ＩＲおよび曲線ＲＪを平行に移動させることにより描かれる。図３５において、点Ｗ１は、曲線ＩＲの長さ：曲線ＲＪの長さ＝直線ＡＷ１の長さ：直線Ｗ１Ｂの長さとなる点であり、点Ｗ２は、曲線ＬＳの長さ：曲線ＳＫの長さ＝直線ＤＷ２の長さ：直線Ｗ２Ｃの長さとなる点である。
【０１１３】
まず、曲面ＩＲＳＬへの画像の貼り付けについて説明する。図３７に示すように、点Ｉから点Ｒまでの曲線上を移動する点Ｐ１に対応する、点Ａから点Ｗ１までの直線上の点Ｐ０が、曲線ＩＰ１の長さ：曲線Ｐ１Ｒの長さ＝直線ＡＰ０の長さ：直線Ｐ０Ｗ１の長さとなるように求められる。そして、点Ｐ０の画素情報（モノクロの場合は黒または白、カラーの場合はＲＧＢ等の各色の濃度）が点Ｐ１の画素情報に割り当てられる。曲線ＩＲ上を移動する点Ｐ１の移動刻み量は、プレビュー用画像データの表示解像度に合わせるのが好ましい。
【０１１４】
曲線ＩＲ上の画像の作成が終了すると、図３８に示すように、曲線ＩＲを曲線ＬＳの方へ一定量平行移動させることにより得られた曲線Ｌ１Ｓ１上の画像が、同様に作成される。このとき、曲線Ｌ１Ｓ１に対応する直線Ｄ１Ｗ３は、直線ＡＷ１を直線ＤＷ２の方へ一定量平行移動させることにより得られる。直線ＡＷ１の移動は、曲線ＩＲが曲線ＬＳに重なった時点でちょうど直線ＡＷ１が直線ＤＷ２に重なるような割合で行われる。直線ＡＷ１の移動刻み量もまた、プレビュー用画像データの表示解像度に合わせるのが好ましい。曲面ＲＪＫＳへの画像の貼り付けも同様に行われる。
【０１１５】
なお、図１９に示したように、曲線ＬＫの長さが曲線ＩＪの長さよりも小さい場合、曲線ＩＪは、所定比率で縮小させられながら、曲線ＬＫの方へ一定量平行移動させられる。
【０１１６】
また、本実施形態では、プリント情報に含まれる用紙の綴じ方に応じて、用紙の綴じ方が表されたプレビュー用画像データが作成され得る。最も一般的に使用される「平綴じ」が指定される場合、たとえば図９（表紙として表紙用厚紙が使用される場合）または図１１（表紙として表紙用厚紙以外の用紙が使用される場合）に示されるように、「平綴じ」が表現された用紙の綴じ部の画像が作成される。
【０１１７】
また、週刊誌などの雑誌に多く用いられる「中綴じ」が指定される場合、たとえば図１０に示されるように、「中綴じ」が表現された用紙の綴じ部の画像が作成される。この場合、プレビュー用画像データは、図２７〜図３３を用いて説明された方法において綴じ代の幅寸法である直線ＴＡの長さが０に設定されることにより、作成される。
【０１１８】
このように本実施形態によれば、めくられる用紙の曲がり具合を示す画像を含み製作される本の完成状態を示すプレビュー用画像データが作成されて表示される。
【０１１９】
したがって、ユーザは、めくられる用紙の曲がり具合を示す画像を含むプレビュー用画像データが表示されている様子を、実際に製本する前に確認することができる。これにより、ユーザは、製作される本の完成状態を事前に的確に把握することが可能となり、ユーザが想像していたものと異なる本が製作されてしまう事態を回避することが可能となる。結果として、ユーザは、製本に対する満足度が増すとともに、再度の注文を出す事態を免れることができる。
【０１２０】
本発明は、上記した実施形態のみに限定されるものではなく、特許請求の範囲内において、種々改変することができる。
【０１２１】
たとえば、上記実施形態では、プレビュー用画像データを作成する際に、用紙情報として、用紙の曲げ易さ、および用紙の厚さが利用されているが、本発明はこれに限定されるものではなく、用紙の曲げ強度、および用紙の重さ（質量）などの他の属性情報が利用されてもよい。
【０１２２】
また、用紙の曲がり具合を示す画像は、予め数パターンのシミュレーション結果に基づいて作成されてもよい。たとえば図２０〜図２３に示される４つのパターンの図に限定して表現されてもよい。この場合、用紙の曲がり具合を示す画像は、使用される用紙の曲げ易さαが最も近いパターンの図に近似して作成される。
【０１２３】
また、上記実施形態では、クライアント装置１０とサーバ装置２０とがネットワーク４０を介して相互に通信可能に接続された表示システムについて説明したが、本発明はこれに限定されるものではない。本発明は、上述したクライアント装置１０とサーバ装置２０とが一体化された一つの表示装置として構成されてもよい。
【０１２４】
本発明による表示システムまたは表示装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、表示システムまたは表示装置の一機能としてそのシステムまたは装置のソフトウェアに組み込まれてもよい。
【図面の簡単な説明】
【０１２５】
【図１】本発明の一実施形態にかかる表示システムの全体構成を示すブロック図である。
【図２】図１に示されるクライアント装置の構成を示すブロック図である。
【図３】図１に示されるサーバ装置の構成を示すブロック図である。
【図４】用紙情報データベースおよびプリントデータ記憶部を説明するための図である。
【図５】用紙情報リストの一例を示す図である。
【図６】プリントサービス処理部およびプレビュー用画像作成部を説明するための図である。
【図７】クライアント装置における処理の手順を示すフローチャートである。
【図８】プレビュー要求ジョブの一例を示す図である。
【図９】表紙として表紙用厚紙が選択された場合のプレビュー用画像データの表示例を示す。
【図１０】表紙として普通用紙が選択された場合のプレビュー用画像データの表示例を示す。
【図１１】表紙として上質半紙が選択された場合のプレビュー用画像データの表示例を示す。
【図１２】プリント要求ジョブの一例を示す図である。
【図１３】サーバ装置における処理の手順を示すフローチャートである。
【図１４】図１３から続く、サーバ装置における処理の手順を示すフローチャートである。
【図１５】プレビュー用画像データの作成処理の手順を示すフローチャートである。
【図１６】左辺綴じの一例を示す平面図である。
【図１７】左上コーナー綴じの一例を示す平面図である。
【図１８】左辺綴じでつまみ位置が点Ｃである場合のつまみ位置の軌跡を説明するための図である。
【図１９】左上コーナー綴じでつまみ位置が点Ｇである場合のつまみ位置の軌跡を説明するための図である。
【図２０】表紙が曲げ易さα＝０の用紙である場合に、表紙をめくる際の表紙の曲がり具合を示す画像を含むプレビュー用画像データの一例を示す図である。
【図２１】表紙が曲げ易さα＝０．５の用紙である場合に、表紙をめくる際の表紙の曲がり具合を示す画像を含むプレビュー用画像データの一例を示す図である。
【図２２】表紙が曲げ易さα＝１の用紙である場合に、表紙をめくる際の表紙の曲がり具合を示す画像を含むプレビュー用画像データの一例を示す図である。
【図２３】表紙が曲げ易さα＝２の用紙である場合に、表紙をめくる際の表紙の曲がり具合を示す画像を含むプレビュー用画像データの一例を示す図である。
【図２４】曲げ易さα＝１である場合の辺ＩＪの形状を説明するための図である。
【図２５】曲げ易さαが１以上２以下である場合の辺ＩＪの形状を説明するための図である。
【図２６】曲げ易さα＝２である場合の辺ＩＪの形状を説明するための図である。
【図２７】綴じ代が表されたプレビュー用画像データの一例を示す図である。
【図２８】先頭から１／３に相当するページの用紙がめくられる場合のプレビュー用画像データの一例を示す図である。
【図２９】先頭から２／３に相当するページの用紙がめくられる場合のプレビュー用画像データの一例を示す図である。
【図３０】曲げ易さαが０以上１以下である場合のめくり済の用紙の曲がり具合を説明するための図である。
【図３１】曲げ易さα＝１である場合のめくり済の用紙の曲がり具合を説明するための図である。
【図３２】曲げ易さαが１以上２以下である場合のめくり済の用紙の曲がり具合を説明するための図である。
【図３３】曲げ易さα＝２である場合のめくり済の用紙の曲がり具合を説明するための図である。
【図３４】使用しようとする用紙の種類が、表紙および背表紙に使用される用紙と、表紙および背表紙以外に使用される用紙とで異なる場合の、用紙の曲がり具合を説明するための図である。
【図３５】プリントデータに応じた所定の画像が印刷された用紙の一例を示す平面図である。
【図３６】図３５に示される画像が印刷された用紙の曲がり具合を示す画像の一例を示す図である。
【図３７】曲面への画像の貼り付けについて説明するための図である。
【図３８】曲面への画像の貼り付けについて説明するための図である。
【符号の説明】
【０１２６】
１０    クライアント装置、
１１，２１    ＣＰＵ、
１２，２２    ＲＯＭ、
１３，２３    ＲＡＭ、
１４，２４    ハードディスク、
１５，２５    入力装置、
１６    表示部、
１７，２７    ネットワークインタフェース、
１８，２８    バス、
２０    サーバ装置、
２２１    プリントサービス処理部、
２２２    プレビュー用画像作成部、
２４１    用紙情報データベース、
２４２    プリントデータ記憶部、
２６    プリンタインタフェース、
３０    プリンタ、
４０    ネットワーク、
５０    プレビュー要求ジョブ、
５３，６３    プリント情報、
５４，６４    ジョブ制御情報、
５５    プレビュー状態情報、
６０    プリント要求ジョブ、
１０１    表紙、
１０２    背表紙。
【図１】
2005339250.tif 000003
【図２】
2005339250.tif 000004
【図３】
2005339250.tif 000005
【図４】
2005339250.tif 000006
【図５】
2005339250.tif 000007
【図６】
2005339250.tif 000008
【図７】
2005339250.tif 000009
【図８】
2005339250.tif 000010
【図９】
2005339250.tif 000011
【図１０】
2005339250.tif 000012
【図１１】
2005339250.tif 000013
【図１２】
2005339250.tif 000014
【図１３】
2005339250.tif 000015
【図１４】
2005339250.tif 000016
【図１５】
2005339250.tif 000017
【図１６】
2005339250.tif 000018
【図１７】
2005339250.tif 000019
【図１８】
2005339250.tif 000020
【図１９】
2005339250.tif 000021
【図２０】
2005339250.tif 000022
【図２１】
2005339250.tif 000023
【図２２】
2005339250.tif 000024
【図２３】
2005339250.tif 000025
【図２４】
2005339250.tif 000026
【図２５】
2005339250.tif 000027
【図２６】
2005339250.tif 000028
【図２７】
2005339250.tif 000029
【図２８】
2005339250.tif 000030
【図２９】
2005339250.tif 000031
【図３０】
2005339250.tif 000032
【図３１】
2005339250.tif 000033
【図３２】
2005339250.tif 000034
【図３３】
2005339250.tif 000035
【図３４】
2005339250.tif 000036
【図３５】
2005339250.tif 000037
【図３６】
2005339250.tif 000038
【図３７】
2005339250.tif 000039
【図３８】
2005339250.tif 000040